(57)【特許請求の範囲】
【請求項１】
陽極箔（１０）と陰極箔（９）の各々に、引出端子の偏平タブ部を加締接続し、該陽極箔（１０）と陰極箔（９）との間にセパレータ紙を介して巻回したコンデンサ素子（２）に電解液を含浸してアルミニウムの外装ケース（３）に収納し、ゴム封口体（４）により封止してなる電解コンデンサにおいて、陰極引出端子（１）とアルミニウムの外装ケース（３）とを導電性ペースト（５）により接続したことを特徴とするアルミニウム電解コンデンサ。
【発明の詳細な説明】
【０００１】
【産業上の利用分野】
本発明は、アルミニウム電解コンデンサ電解液の漏出防止に関するものである。
【０００２】
【従来の技術】
アルミニウム電解コンデンサは、アルミニウム陽極箔とアルミニウム陰極箔とをセパレータ紙を介して巻回したコンデンサ素子に駆動用電解液（以下、電解液という）を含浸し、このコンデンサ素子をゴム封口体とともにアルミニウム製外装ケース内に組込み、外装ケースが封止加工されることによって、密閉した構造を有する。
【０００３】
また、陽極箔及び陰極箔のそれぞれには、引出端子としてのタブ端子が加締やコールドウェルド法などにより固着され、ゴム封口体の端子挿通孔を通じて、外部に引き出されている。
【０００４】
図２に示すようにアルミニウム引出端子１は、アルミニウムの丸棒部６と該丸棒部６を扁平に加工した扁平タブ部７とを備え、該丸棒部６に引出線８が溶接され構成されている。なお、引出線８はＣＰ線（銅被覆鋼線）からなり、半田メッキや錫メッキが施されている。
【０００５】
陰極引出端子１の偏平タブ部７は、陽極箔や陰極箔に各々固着され、丸棒部６はゴム封口体４の端子挿通孔１３と嵌合している。図３には、陰極引出端子１を取り付けた陽極箔と陰極箔とをセパレータを挟んで巻回した、コンデンサ素子２を収納するアルミニウムの外装ケース３と、該ケース３の開口部を封口するゴム封口体４からなるアルミニウム電解コンデンサの断面図が示されている。
【０００６】
このコンデンサ素子２に含浸されている内部の電解液は、コンデンサの特性を向上させるために高電導度のものや、高温下での使用において安定性を有するものが用いられている。例えば、γ−ブチロラクトンやエチレングリコールなどの溶媒中に、ｏ−フタル酸の第４級アンモニウム塩やマレイン酸の第４級アンモニウム塩を溶質として溶解させたものがあげられる。
【０００７】
このような電解液は粘度も低く、活性であり、ゴム封口体の端子挿通孔とタブ端子の丸棒部との間からの漏液が発生し易いものであるため、電解コンデンサに通電したとき、ゴム封口体４の端子挿通孔１３と陰極引出端子１の丸棒部６との間に浸透した電解液と陰極引出端子１との間に生じる電位差により、カチオン種の移動が起こり、電解液中の水分と反応して強アルカリ物質を生成し、これによりゴム封口体の粗面化が進み、漏液を更に進行させるという、好ましくない状態になっていた。
【課題を解決するための手段】
【０００８】
本発明は、陽極箔１０と陰極箔９の各々に、引出端子の偏平タブ部を加締接続し、該陽極箔１０と陰極箔９との間にセパレータ紙を介して巻回したコンデンサ素子２に電解液を含浸してアルミニウムの外装ケース３に収納し、ゴム封口体４により封止してなる電解コンデンサにおいて、以下の方法、
（１）陰極引出端子１とアルミニウムの外装ケース３とを導電性ペースト５により接続することにより、陰極引出端子１の丸棒部６とゴム封口体４の端子挿通孔１３との間隙からの電解液の漏出を防止したことを特徴とするアルミニウム電解コンデンサであり、
電解液と陰極引出端子１との間に生じる電位差を減じ、かつ陽極から陰極引出端子１へ通じる電流をアルミニウムの外装ケース３へ分散させることにより、電解液中の水分と溶質との電解反応が陰極引出端子１の丸棒部６とゴム封口体４との間隙に集中して起こらないようにし、電解反応により誘起される強アルカリ物質の生成、ゴム封口体４の端子挿通孔１３の粗面化及び漏液を防止しようとするものである。
【０００９】
【作用】
陰極引出端子または陰極箔からの偏平タブ部、またはコンデンサ素子から突出させた陰極箔をアルミニウムの外装ケースと短絡させることにより、電解液と陰極引出端子との間に生じる電位差を減じ、陽極から陰極引出端子へ通じる電流をアルミニウムの外装ケースへ分散させることにより、前述の電解液中の水分と溶質との電解反応が陰極引出端子の丸棒部とゴム封口体の端子挿通孔との間隙に集中して起こらないようにし、電解反応により誘起される強アルカリ物質の生成、ゴム封口体の端子挿通孔の粗面化及び漏液を防止する。
【００１０】
【実施例１】
図１には、陰極引出端子１を導電性ペースト５によりアルミニウムの外装ケース３と短絡させた構造が示されている。
これは、γ−ブチロラクトンとエチレングリコールを混合した溶媒にｏ−フタル酸の第４級アンモニウム塩とマレイン酸の第４級アンモニウム塩を溶質として溶解させた電解液にコンデンサ素子を含浸し、該コンデンサ素子２をアルミニウムの外装ケース３に収納し、ゴム封口体４で封口した後、導電性ペースト５をゴム封口体４表面の陰極引出し端子１とアルミニウムの外装ケース３との間に刷毛塗りするか、または印刷した後、乾燥・硬化し両者を短絡させた構造からなる。上記の構造からなる直径１０ｍｍ、長さ１３ｍｍ、定格電圧２５Ｖ、静電容量２２０μＦの電解コンデンサを２００個試作した。
【００１３】
【比較例】
実施例１のような処理を施さない、図３に示すような従来の構造からなる直径１０ｍｍ、長さ１３ｍｍ、定格電圧２５Ｖ、静電容量２２０μＦの電解コンデンサを２００個試作した。
【００１４】
これらの電解コンデンサを温度６０℃，湿度９０％ＲＨの雰囲気中及び１０５℃の高温下にて定格電圧２５Ｖの印加試験を行ったとき、タブ端子とゴム封口体の端子挿通孔との間での漏液状態を目視にて検査すると表１に示すような結果となり、本実施例１では、漏液が皆無であったのに対し、比較例では表１の通り漏液の発生が認められた。
【００１５】
0003594259.tif 000002
【表１】
【００１７】
【発明の効果】
以上説明したように、本発明は、コンデンサ素子に電解液を含浸して、アルミニウムの外装ケースに収納し、ゴム封口体により封止するアルミニウム電解コンデンサにおいて、以下の方法、
（１）陰極引出端子１とアルミニウムの外装ケース３とを導電性ペースト５により接続することを特徴とするアルミニウム電解コンデンサであり、電解液と陰極タブ端子との間に生じる電位差を減じ、かつ陽極から陰極引出端子へ通じる電流をアルミニウム外装ケースへ分散させて、電解液中の水分と溶質との電解反応が陰極引出端子丸棒部とゴム封口体の端子挿通孔との間隙に集中して起こらないようにしているので、電解反応により誘起される電解液の漏出が防止される。
【図面の簡単な説明】
【図１】本発明請求項１の陰極引出端子を導電性ペーストによりアルミニウムの外装ケースと短絡させたアルミニウム電解コンデンサの断面図
【図２】アルミニウム電解コンデンサに使用するアルミニウム引出端子の構造図
【図３】従来のコンデンサ素子の断面図
【符号の説明】
１  陰極引出端子
２  コンデンサ素子
３  アルミニウムの外装ケース
４  ゴム封口体
５  導電性ペースト
６  丸棒部
７  偏平タブ部
８  引出線
９  陰極箔
１０  陽極箔
１１  セパレータ紙
１２  偏平タブ部の陰極箔からの突出部
１３  端子挿通孔
１４  陽極引出端子
【図１】
0003594259.tif 000003
【図２】
0003594259.tif 000004
【図３】
0003594259.tif 000005